(57)【要約】【課題】本発明は、移動通信端末機およびその呼による画像表示方法に関し、呼の発生時、相手に係る多様な画像を表示し、使用者に興味を与え、また画像変更による煩雑さを解消するためのものである。【解決手段】本発明は、相手の電話番号情報に前記相手の画像を登録し、前記相手の電話番号で呼が発生すると、前記登録された画像に基づいて前記相手の画像が含まれた画像を抽出し、前記登録された画像と前記抽出された画像を表示する移動通信端末機およびその呼による画像表示方法を提供する。その時、前記登録された画像と前記抽出された画像との中から、少なくとも一つの画像が選択されて表示される。または、前記登録された画像と前記抽出された画像とのうち少なくとも一つの画像を、設定された規則によって順次変更して表示することもできる。【選択図】図４
2008263602.tif 000002
【特許請求の範囲】
【請求項１】
相手の電話番号情報に前記相手の画像を登録する画像登録段階と、
前記相手の電話番号で呼が発生すると、前記登録された画像に基づいて前記相手の画像が含まれた画像を抽出する画像抽出段階と、
前記登録された画像と前記抽出された画像とを表示する画像表示段階と、
を含むことを特徴とする移動通信端末機の通話に係る画像表示方法。
【請求項２】
前記登録された画像は、相手の顔を含むことを特徴とする請求項１に記載の移動通信端末機の通話に係る画像表示方法。
【請求項３】
前記画像抽出段階は、前記移動通信端末機に格納された画像の中から、前記相手の顔が含まれた画像を抽出することを特徴とする請求項２に記載の移動通信端末機の通話に係る画像表示方法。
【請求項４】
前記画像抽出段階は、使用者のウェブサーバーまたは前記相手のウェブサーバーのうち、少なくとも一つのウェブサーバーに格納された画像の中から、前記相手の顔が含まれた画像を抽出することを特徴とする請求項２または請求項３に記載の移動通信端末機の通話に係る画像表示方法。
【請求項５】
前記画像表示段階は、
前記登録された画像と前記抽出された画像との中から、少なくとも一つの画像を選択する段階と、
少なくとも一つの選択された画像を表示する段階と、
を特徴とする請求項４に記載の移動通信端末機の通話に係る画像表示方法。
【請求項６】
前記画像表示段階は、
前記登録された画像と前記抽出された画像とのうち少なくとも一つの画像を、設定された規則によって順次変更して表示することを特徴とする請求項５に記載の移動通信端末機の通話に係る画像表示方法。
【請求項７】
前記設定された規則は、画像の生成日順、修正日順、及びランダムな順序のいずれか一つであることを特徴とする請求項６に記載の移動通信端末機の通話に係る画像表示方法。
【請求項８】
画像を表示する表示部と、
相手の電話番号情報に前記相手の画像を登録する画像登録部と、
前記相手の電話番号で呼が発生すると、前記登録された画像に基づいて前記相手の画像が含まれた画像を抽出する画像抽出部と、
前記登録された画像と前記抽出された画像とを前記表示部に表示する画像制御部と、
を含むことを特徴とする移動通信端末機。
【請求項９】
前記登録された画像は、相手の顔を含むことを特徴とする請求項８に記載の移動通信端末機。
【請求項１０】
複数の画像を格納する格納部をさらに含み、
前記画像抽出部は、前記格納された画像の中から前記相手の顔が含まれた画像を抽出することを特徴とする請求項９に記載の移動通信端末機。
【請求項１１】
前記画像抽出部は、使用者のウェブサーバーまたは前記相手のウェブサーバーとのうち、少なくとも一つのウェブサーバーに格納された画像の中から前記相手の顔が含まれた画像を抽出することを特徴とする請求項９または請求項１０に記載の移動通信端末機。
【請求項１２】
前記画像制御部は、
前記登録された画像と前記抽出された画像との中から、少なくとも一つの画像を選択して前記表示部に表示することを特徴とする請求項１１に記載の移動通信端末機。
【請求項１３】
前記画像制御部は、
前記登録された画像と前記抽出された画像とのうち少なくとも一つの画像を、設定された規則によって順次変更して表示することを特徴とする請求項１２に記載の移動通信端末機。
【請求項１４】
前記設定された規則は、画像の生成日順、修正日順、及びランダムな順序のいずれか一つであることを特徴とする請求項１３に記載の移動通信端末機。
【発明の詳細な説明】
【技術分野】
【０００１】
本発明は、移動通信端末機およびその画像表示方法に関し、さらに詳細には、送受信される呼に連係した相手の画像を表示する移動通信端末機およびその呼による画像表示方法に関する。
【背景技術】
【０００２】
移動通信技術の発展により、移動通信端末機を利用し、時間や場所にとらわれず音声通話が可能になった。多様な機能が移動通信端末機に追加されることによって、文字情報、画像情報、ＭＰ３、ゲームなどを使用者に提供し、使用者は移動通信端末機の表示部からこれを確認することができる。
【０００３】
一方、移動通信端末機の表示部は、送受信される呼に連係した相手の画像を表示することができる。すなわち、相手の電話番号情報に相手の画像を登録しておくと、画像が登録された相手に電話をかけるか、又は相手から電話がかかってくると、表示部に登録された相手の画像が表示される。その時、使用者は表示部に表示された相手の画像を見て、直観的に通話する相手が分かるという長所がある。
【０００４】
ところが、従来の移動通信端末機は、電話帳に登録された相手の画像の一つのみを見せてくれるため、使用者を飽きさせることもある。もちろん、使用者は、電話帳に登録された相手の画像を変更することによって、これを解消することもできるが、毎回そのような作業を必要とするため、使用者にとって大変煩雑なことである。
【発明の開示】
【発明が解決しようとする課題】
【０００５】
したがって、本発明の目的は、呼の発生時、相手に関連する多様な画像を表示し、使用者に興味を与え、また画像変更による煩雑さを解消することができる移動通信端末機およびその呼による画像表示方法を提供することにある。
【課題を解決するための手段】
【０００６】
前記目的を達成するために、本発明は、相手の電話番号情報に前記相手の画像を登録する画像登録段階と、前記相手の電話番号でコールが発生すると、前記登録された画像に基づいて前記相手の画像が含まれた画像を抽出する画像抽出段階と、前記登録された画像と前記抽出された画像とを表示する画像表示段階とを含んで構成される移動通信端末機の呼による画像表示方法を提供する。
【０００７】
本発明に係る画像表示方法において、前記画像抽出段階は、前記移動通信端末機に格納された画像の中から前記相手の顔が含まれた画像を抽出する。または、前記画像抽出段階は、使用者のウェブサーバーまたは前記相手のウェブサーバーのうち、少なくとも一つのウェブサーバーに格納された画像の中から前記相手の顔が含まれた画像を抽出する。
【０００８】
本発明に係る画像表示方法において、前記画像表示段階は、前記登録された画像と前記抽出された画像との中から、少なくとも一つの画像を選択して表示することができる。または、前記画像表示段階は、前記登録された画像と前記抽出された画像とのうち少なくとも一つの画像を、設定された規則によって順次変更して表示することができる。
【０００９】
一方、本発明は、呼による画像表示機能を行なう移動通信端末機を提供し、本発明に係る移動通信端末機は、表示部、画像登録部、画像抽出部および画像制御部を含んで構成される。前記表示部は画像を表示する。前記画像登録部は、相手の電話番号情報に前記相手の画像を登録する。前記画像抽出部は、前記相手の電話番号でコールが発生すると、前記登録された画像に基づいて前記相手の画像が含まれた画像を抽出する。そして、前記画像制御部は、前記登録された画像と前記抽出された画像とを前記表示部に表示する。
【００１０】
本発明に係る移動通信端末機は、複数の画像を格納する格納部をさらに含んで構成される。その時、前記画像抽出部は、前記格納された画像の中から前記相手の顔が含まれた画像を抽出する。
【００１１】
本発明に係る移動通信端末機において、前記画像抽出部は、使用者のウェブサーバーまたは前記相手のウェブサーバーのうち、少なくとも一つのウェブサーバーに格納された画像の中から前記相手の顔が含まれた画像を抽出する。
【００１２】
本発明に係る移動通信端末機において、前記画像制御部は、前記登録された画像と前記抽出された画像との中から、少なくとも一つの画像を選択して前記表示部に表示する。または、前記画像制御部は、前記登録された画像と前記抽出された画像中、少なくとも一つの画像を、設定された規則によって順次変更して表示する。
【発明を実施するための最良の形態】
【００１３】
以下、添付図面を参照し、本発明の実施例をより詳細に説明する。
【００１４】
［移動通信端末機］
図１は、本発明の実施例に係る呼による画像表示機能を行なう移動通信端末機１０の構成を示すブロック図である。
【００１５】
図１を参照すると、本実施例に係る移動通信端末機１０は、呼の発生時、相手の画像を表示する移動通信端末機であり、制御部１２、キー入力部１３、格納部１４、無線通信部１５、音声処理部１６および表示部１７を含んで構成される。ここで、「呼」とは、相手からの電話を受けること、又は相手に電話をかけることを意味する。
【００１６】
制御部１２は、移動通信端末機１０の全般の制御動作を行なう。制御部１２は、発生した呼による画像表示機能の実行を制御する。
【００１７】
キー入力部１３は、移動通信端末機１０を操作するための複数のキーを提供し、使用者のキー選択によるキーデータを発生して、制御部に伝達する。
【００１８】
格納部１４は、移動通信端末機１０の動作制御時に必要なプログラムと、そのプログラムの実行中に発生するデータを格納する。格納部１４は、発生した呼による画像表示機能を実行する実行プログラムを格納する。格納部１４は、電話帳１４ａ、画像情報１４ｂおよび使用者情報１４ｃを格納する。その時、電話帳１４ａは、登録された相手の電話番号情報を含む。電話番号情報は、相手の名前や電話番号をはじめ、相手の画像、Ｅメールアドレスおよび相手の画像があるウェブサーバーのＵＲＬ（Ｕｎｉｆｏｒｍ Ｒｅｓｏｕｒｃｅ Ｌｏｃａｔｏｒ）アドレスなどに関する情報を含む。画像情報１４ｂは、カメラモジュール(図示せず)で直接撮影した画像、外部からダウンロードした画像を含み、電話帳１４ａに登録された相手の画像を少なくとも一つ含む。そして、使用者情報１４ｃは、使用者の電話番号、Ｅメールアドレスおよび画像が格納されたウェブサーバーのＵＲＬアドレスに関する情報を格納する。
【００１９】
無線通信部１５は、相手の移動通信端末機や、文字メッセージおよび音声などの信号を送受信する一連の無線通信を行なう。すなわち、無線通信部１５は、制御部１２から出力される情報を変調および周波数変換して、アンテナ（ＡＮＴ）を介して無線信号を送信する。また、無線通信部１５は、アンテナ（ＡＮＴ）を介して受信された無線信号から受信信号を分離し、周波数変換および復調して、制御部１２に出力する。
【００２０】
音声処理部１６は、制御部１２の制御を受け、マイク（ＭＩＣ）に入力される音声をデジタル化し、無線通信部１５を介して受信された音声データを復調してスピーカー（ＳＰＫ）を介して出力する。
【００２１】
そして、表示部１７は、移動通信端末機１０で実行される各種の機能メニューをはじめ、格納部１４に格納された情報を表示する。表示部１７は、呼の発生時、相手の登録された画像を表示する。その時、表示部１７としては、ＬＣＤ（Ｌｉｑｕｉｄ Ｃｒｙｓｔａｌ Ｄｉｓｐｌａｙ）やタッチスクリーン（ｔｏｕｃｈ ｓｃｒｅｅｎ）が使用される。タッチスクリーンは、表示装置と入力装置としての役割を同時に果たす。
【００２２】
特に、制御部１２は、発生した呼による画像表示機能の実行を制御するための画像登録部１２ａ、画像抽出部１２ｂおよび画像制御部１２ｃを含んで構成される。
【００２３】
画像登録部１２ａは、使用者のキー選択による選択信号に応じて相手の電話番号情報に相手の画像を登録する。その時、登録された画像は、相手の顔を含む画像を使うのが好ましい。画像登録時に使用される画像は、格納部１４に格納された画像、使用者のウェブサーバーに登録された相手の画像、または相手のウェブサーバーに登録された相手の画像を含む。
【００２４】
画像抽出部１２ｂは、登録された画像を有する相手との間に呼が発生する場合、相手の登録された画像に基づいて相手の画像が含まれた画像を抽出する。その時、画像抽出部１２ｂは、格納部１４に格納された画像、使用者のウェブサーバーに登録された画像、または相手のウェブサーバーに登録された画像の中から相手の顔が含まれた画像を抽出する。
【００２５】
すなわち、画像抽出部１２ｂは、登録された画像から相手の顔を認識した後、格納部１４に格納された画像、使用者のウェブサーバーに登録された画像、または相手のウェブサーバーに登録された画像の中から認識された相手の顔が含まれた画像を抽出する。画像抽出部１２ｂは、使用者情報に登録されたウェブサーバーのＵＲＬアドレスに位置する画像や相手の電話番号情報に登録されたウェブサーバーのＵＲＬアドレスに位置する画像の中から相手の顔が含まれた画像を抽出する。その時、顔の認識方法としては、ＰＣＡ（Ｐｒｉｎｃｉｐｌｅ Ｃｏｍｐｏｎｅｎｔ Ａｎａｌｙｓｉｓ）を利用したアイゲンフェース(ｅｉｇｅｎｆａｃｅｓ)方法、ＦＬＤ（Ｆｉｓｈｅｒ Ｌｉｎｅａｒ Ｄｉｓｃｒｉｍｉｎａｎｔ）を利用したフィッシャーフェース（ｆｉｓｈｅｒｆａｃｅｓ）方法、ＰＣＡとＳＶＭ（Ｓｕｐｐｏｒｔ Ｖｅｃｔｏｒ Ｍａｃｈｉｎｅ）を利用した方法など多様な方法が使用される。
【００２６】
そして、画像制御部１２ｃは、登録された画像と抽出された画像とを表示部１７に表示する。その時、画像制御部１２ｃは、登録された画像と抽出された画像とを利用して、多様な画像を表示部１７に表示することができる。例えば、画像制御部１２ｃは、登録された画像と抽出された画像との中から、少なくとも一つの画像を選択して表示部１７に表示する。または、画像制御部１２ｃは、登録された画像と抽出された画像とのうち少なくとも一つの画像を、設定された規則によって順次変更して表示部１７に表示する。ここで、設定された規則は、画像の生成日順、修正日順、ランダム（ｒａｎｄｏｍ）な順序を含む。一方、順次に画像を表示する場合、画像制御部１２ｃは、スライドショー（ｓｌｉｄｅ ｓｈｏｗ）で登録された画像と抽出された画像とを表示部１７に表示することができる。
【００２７】
したがって、本発明に係る移動通信端末機１０は、呼が発生すると、相手の登録された画像に基づいて相手が含まれた多様な画像を抽出して、表示部１７に表示する。
【００２８】
一方、本発明に係る移動通信端末機１０は、相手の電話機と呼との送受信が可能な移動通信端末機であり、デジタル放送端末機、ＰＤＡ（Ｐｅｒｓｏｎａｌ Ｄｉｇｉｔａｌ Ａｓｓｉｓｔａｎｔ）、スマートフォン、ＩＭＴ−２０００（Ｉｎｔｅｒｎａｔｉｏｎａｌ Ｍｏｂｉｌｅ Ｔｅｌｅｃｏｍｍｕｎｉｃａｔｉｏｎ２０００）端末機、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）端末機およびＵＭＴＳ（Ｕｎｉｖｅｒｓａｌ Ｍｏｂｉｌｅ Ｔｅｌｅｃｏｍｍｕｎｉｃａｔｉｏｎ Ｓｅｒｖｉｃｅ）端末機などを含む。
【００２９】
本発明に係る移動通信端末機１０には図示しないが、カメラモジュール部、ブルートゥース（Ｂｌｕｅｔｏｏｔｈ）モジュール部、デジタル放送受信部、ＧＰＳ（Ｇｌｏｂａｌ Ｐｏｓｉｔｉｏｎｉｎｇ Ｓｙｓｔｅｍ）受信部の中から少なくとも一つをさらに備えることができる。
【００３０】
［画像表示方法］
図２は、本発明の実施例に係る移動通信端末機１０の呼による画像表示方法に係るフロー図である。図１および図２を参照すると、本発明に係る画像表示方法は、電話帳１４ａの相手の電話番号情報に相手の画像を登録する画像登録段階Ｓ２１と、登録された画像を有する相手との間に呼が発生する場合、相手の登録された画像に基づいて相手の画像が含まれた画像を抽出する画像抽出段階Ｓ２３と、登録された画像と抽出された画像とを表示する画像表示段階Ｓ２５とを含んで構成される。
【００３１】
先ず、本発明に係る画像表示方法において、画像登録段階Ｓ２１を図１および図３を参照して説明すると次のようになる。ここで、図３は、図２の画像表示方法において、画像登録段階Ｓ２１を示すフロー図である。
【００３２】
Ｓ３１段階において、制御部１２は使用者のキー入力によって電話帳１４ａを実行すると、Ｓ３３段階において、制御部１２は登録された電話番号を表示する。その時、電話番号はリスト形態で表示されるが、アイウ順やアルファベット順に表示することができる。または、電話番号は登録された相手の画像を利用したアイコンまたはグループ別に分類して表示することができる。
【００３３】
次に、Ｓ３５段階において、制御部１２は表示された電話番号の中から画像を登録した電話番号の選択如何を判断する。Ｓ３５段階における判断結果、電話番号を選択しなければ、制御部１２はＳ３３段階の電話番号の表示状態を維持する。
【００３４】
Ｓ３５段階における判断結果、特定の電話番号を選択した場合、制御部１２は選択された電話番号の情報を表示する。その時、電話番号情報は、相手の名前や電話番号をはじめ、相手の画像、Ｅメールアドレスなどに関する情報を含む。その時、使用者は、電話番号情報が表示された画面においてキー選択をすることで、情報を登録、変更および削除することができる。
【００３５】
Ｓ３９段階において、使用者は、キー入力をすることで表示された電話番号情報の中から画像登録項目を選択すると、Ｓ４１段階において、画像登録部１２ａは登録可能な画像を表示する。その時、画像は、格納部１４に格納された画像、使用者のウェブサーバーに格納された相手の画像、または相手のウェブサーバーに格納された相手の画像を含み、画像登録部１２ａは、画像が格納された位置によって画像を分類して表示することができる。
【００３６】
次に、Ｓ４３段階において、画像登録部１２ａは、表示された画像の中から登録する画像が使用者のキー入力によって選択されるのか否かを判断する。Ｓ４３段階における判断結果、選択されなかった場合、画像登録部１２ａはＳ４１段階の画像表示状態を維持する。
【００３７】
Ｓ４３段階における判断結果、画像が選択されると、Ｓ４５段階において、画像登録部１２ａは選択された画像を相手の電話番号情報に登録する。
【００３８】
次に、本発明に係る画像表示方法において、画像抽出段階Ｓ２３および画像表示段階Ｓ２５を図１および図４を参照して説明すると次のようになる。ここで、図４は、図２の画像表示方法において、画像抽出段階Ｓ２３および画像表示段階Ｓ２５を示すフロー図である。
【００３９】
先ず、移動通信端末機１０で、Ｓ５１段階の待ち受け状態において、Ｓ５３段階における制御部１２は呼が発生したか否かを判断する。Ｓ５３段階における判断結果、呼が発生しなかった場合、制御部１２はＳ５１段階の待ち受け状態を維持する。
【００４０】
Ｓ５３段階における判断結果、呼が発生した場合、Ｓ５５段階において、画像制御部１２ｃは相手の電話番号情報に登録された画像があるか否かを判断する。Ｓ５５段階における判断結果、登録された画像がない場合、Ｓ５７段階において、画像制御部１２ｃは相手の電話番号を表示部１７に表示する。または、Ｓ５７段階において、画像制御部１２ｃは相手の名前を同時に表示することができる。
【００４１】
Ｓ５５段階における判断結果、登録された画像がある場合、Ｓ５９段階において、画像抽出部１２ｂは格納部１４に格納された画像の中から相手の画像が含まれた画像を抽出する。
【００４２】
そして、Ｓ６１段階において、画像制御部１２ｃは、登録された画像と抽出された画像との中から、一つ以上の画像を選択し、既設定された規則によって表示部１７に表示する。その時、既設定された規則は、時間順、ランダム、スライドショー方式にすることができる。Ｓ６１段階において、画像制御部１２ｃは相手の名前または電話番号を同時に表示することができる。
【００４３】
一方、本説明では、画像抽出部１２ｂが格納部１４に格納された画像の中から相手の画像を抽出する例を開示したが、前述のように、使用者のウェブサーバーに格納された画像または相手のウェブサーバーに格納された画像の中から相手の顔が含まれた画像を抽出することもできる。
【００４４】
本発明に係る画像表示方法により、呼の発生時、表示部１７に表示される画像を図５の画面例示図を参照して説明すると次のようになる。ここで、図５は、図２の画像表示方法に係る画面例示図である。
【００４５】
先ず、図５ａは、移動通信端末機の電話帳に登録された人の中で「Ｍｒ．ＡＡＡ」の登録された画像７１を表示する。その時、登録された画像７１は「Ｍｒ．ＡＡＡ」の顔を含む。
【００４６】
電話帳に登録された「Ｍｒ．ＡＡＡ」の電話番号を有する電話機から電話がかかってくると、従来は、図５ｂに図示のように、画像制御部は登録された画像７１のみを表示部１７に示す。
【００４７】
しかし、本発明によると、画像抽出部は、登録された画像７１に基づいて図５ｃおよび図５ｄに表示された相手の画像７２，７３を抽出する。また、画像制御部は、登録された画像７１と抽出された画像７２，７３とを、図５ｂ乃至図５ｃの順に繰り返して表示部１７に表示する。その時、図５ｂ乃至図５ｃに図示のように、表示された画像７１，７２，７３の下に相手の名前７７を表示することができる。
【００４８】
一方、本明細書と図面に開示された本発明の実施例は、理解しやすくするために特定の例を挙げたことに過ぎず、本発明の範囲を限定するものではない。ここに開示された実施例以外にも、本発明の技術的思想に基づく他の変形例も実施可能であることは、本発明の属する技術分野における通常の知識を有する者に自明なことである。
【００４９】
本発明によると、登録された画像を有する相手との間に呼が発生すると、相手の登録された画像に基づいて相手が含まれた多様な画像を抽出して、表示部に表示するため、使用者に興味を与えることができ、また画像変更による煩雑さを解消することができる。
【図面の簡単な説明】
【００５０】
【図１】本発明の実施例に係る呼による画像表示機能を行なう移動通信端末機の構成を示すブロック図。
【図２】本発明の実施例に係る移動通信端末機の呼による画像表示方法に係るフロー図。
【図３】図２の画像表示方法において、画像登録段階を示すフロー図。
【図４】図２の画像表示方法において、画像抽出段階および画像表示段階を示すフロー図。
【図５】図２の画像表示方法に係る画面例示図。
【符号の説明】
【００５１】
１２ａ  画像登録部
１２ｂ  画像抽出部
１２ｃ  画像制御部
１４  格納部
１７  表示部
【図１】
2008263602.tif 000003
【図２】
2008263602.tif 000004
【図３】
2008263602.tif 000005
【図４】
2008263602.tif 000006
【図５】
2008263602.tif 000007